(57)【要約】【課題】利便性の高い個人認証装置を提供する。【解決手段】個人認証装置６はキャッシュディスペンサ８とサーバ１０とからなり、暗証画像が暗証画像記憶部５０に記憶されている。サンプル画像はサンプル画像記憶部５５に記憶されている。暗証画像とサンプル画像とについて、色合い検出部５１で濃度ヒストグラムデータが求められ、エッジ検出部５２でエッジデータが求められ、それぞれ特徴情報記憶部５３に記憶される。濃度ヒストグラムデータとエッジデータとについて比較判定部５４で比較される。比較判定部５４で暗証画像と類似しないと判定されたサンプル画像と暗証画像とが表示画面１２に並べて表示される。選択された画像が暗証画像であるかが画像照合部６３で確認される。【選択図】        図２
2005018625.tif 000002
【特許請求の範囲】
【請求項１】
表示画面に表示された複数の画像の中から、登録された暗証画像が選択されることで個人認証を行う個人認証装置において、
予め記憶された複数のサンプル画像の中から表示画面に表示する画像を１個または複数選び出し、登録された暗証画像と選び出された１個または複数のサンプル画像とを並べて表示画面に表示することを特徴とする個人認証装置。
【請求項２】
前記サンプル画像の特徴情報と前記暗証画像の特徴情報とを算出し、算出されたそれぞれの画像の特徴情報を比較し、その特徴情報の差に基づいて暗証画像に類似したサンプル画像と類似しないサンプル画像とを判定して暗証画像と類似しないサンプル画像を１個または複数選び出し、選び出された１個または複数のサンプル画像を暗証画像と並べて表示画面に表示することを特徴とする請求項１に記載の個人認証装置。
【請求項３】
前記選び出された１個または複数のサンプル画像と前記暗証画像とを関連付けて記憶することを特徴とする請求項１または２に記載の個人認証装置。
【発明の詳細な説明】
【０００１】
【発明の属する技術分野】
本発明は、パスワードの入力を要する個人認証装置に関し、さらに詳しくは、複数の照合項目が設けられた個人認証装置に関するものである。
【０００２】
【従来の技術】
現在、セキュリティの重要性が増しており、重要な施設への入出時や、個人のプライバシー情報にアクセスする場合には個人認証が行われる。例えば、銀行や郵便局等における金銭操作では、金銭操作に移行する前に数桁の数字からなる暗証番号が入力され、入力された数字が予め登録された暗証番号と一致することによって金銭操作が許可される。また、パーソナルコンピュータ等の個人情報が記憶されている機器の使用に際しては、数字、及びアルファベットからなるパスワードを入力し、入力された暗証番号を照合して個人認証を行っている。
【０００３】
一方、数字やアルファベットからなるパスワードは、盗み見られたりすることによって容易に他人に覚られる危険性が高い。また、指紋などの生体情報を用いた個人認証では、誤認や照合時間の長大化などの問題がある。このような問題を解決するために、特許文献１に示された個人照合装置では、個人ごとに複数の画像を記憶し、表示画面に複数の画像を表示し、選択された画像が予め登録された画像と一致することにより個人認証を行っている。また、特許文献２では予め登録された画像に類似した画像を登録画像とともに表示画面に表示し、この中から登録された画像が選択されることにより、個人認証を行っている。
【０００４】
【特許文献１】
特開２００１−２１６２６４号公報
【特許文献２】
特開２００２−１８９９６７号公報
【０００５】
【発明が解決しようとする課題】
しかしながら、登録された画像と、登録された画像とともに表示される複数の画像とを個人ごとに記憶すると、ユーザ数の増加とともに画像の記憶量が増大し、個人認証装置のコストが高くなってしまう。また、特許文献２に示されるように、予め登録された画像と類似した画像が登録された画像とともに表示画面に表示されると、登録された画像を見分けるのに時間を要したり、あるいは登録された画像以外の画像を選択してしまう可能性もあり、利便性の低い個人認証装置となってしまう。
【０００６】
本発明は、上記の事情に鑑みてなされたものであり、その目的は、予め登録された暗証画像を容易に選択することができ、かつ低コストな個人認証装置を提供することにある。
【０００７】
【課題を解決するための手段】
上記目的を達成するために、本発明の個人認証装置は、表示画面に表示された複数の画像の中から、登録された暗証画像が選択されることで個人認証を行う個人認証装置において、予め記憶された複数のサンプル画像の中から表示画面に表示する画像を１個または複数選び出し、登録された暗証画像と選び出された１個または複数のサンプル画像とを並べて表示画面に表示することを特徴とする。
【０００８】
また、前記サンプル画像の特徴情報と前記暗証画像の特徴情報とを算出し、算出されたそれぞれの画像の特徴情報を比較し、その特徴情報の差に基づいて暗証画像に類似したサンプル画像と類似しないサンプル画像とを判定して暗証画像と類似しないサンプル画像を１個または複数選び出し、選び出された１個または複数のサンプル画像を暗証画像と並べて表示画面に表示することを特徴とする。
【０００９】
また、前記選び出された１個または複数のサンプル画像と前記暗証画像とを関連付けて記憶することを特徴とする。
【００１０】
【発明の実施の形態】
図１に本発明の個人認証装置の斜視図を示す。携帯電話４には個人ごとに割り当てられた管理コードが記憶されている。個人認証装置６は、現金の出し入れを行うキャッシュディスペンサ８と、ケーブル１７によってキャッシュディスペンサ８と接続されたサーバ１０とからなる。
【００１１】
キャッシュディスペンサ８には、画像を表示する表示画面１２と、通帳の出入口１４と、銀行カードの出入口１６とが設けられている。表示画面１２の横には、携帯電話と通信して管理コード信号を受信するアンテナ１９が設けられている。
【００１２】
キャッシュディスペンサ８に備えられたアンテナ１９から発信される管理コードの要求信号が、携帯電話４に受信されると、これに応答して携帯電話４から管理コード信号がキャッシュディスペンサ８に送信され、サーバ１０に管理コードが入力される。なお、管理コードは、従来からある銀行カードにも記憶されており、銀行カードを出入口１６から挿入してサーバ１０に入力することもできる。
【００１３】
個人認証装置６のブロック図を図２に示す。キャッシュディスペンサ８には、携帯電話４から送信された管理コード信号を受信するアンテナ１９、管理コード信号を復調する無線通信インターフェース（以降、無線通信Ｉ／Ｆと省略する）３８、表示画面１２の表示を制御する表示制御部６０、表示画面１２の周囲に設けられたボタン４３の押圧を電気信号に変換する入力インターフェース（以降、入力Ｉ／Ｆと省略する）４４が設けられている。
【００１４】
管理コード照合部４１では、無線通信Ｉ／Ｆ３８から入力された管理コードと、管理コード記憶部４２に予め記憶された管理コードとを照合する。暗証番号記憶部４８には、予め管理コードと対応して暗証番号が記憶されており、暗証番号照合部４５では、入力Ｉ／Ｆ４４から入力された暗証番号と暗証番号記憶部４８に記憶された暗証番号とを照合する。
【００１５】
サンプル画像記憶部５５には、複数のサンプル画像が予め記録されており、それぞれのサンプル画像データにはそれぞれを識別するための画像コードが含まれている。暗証画像記憶部５０には、暗証番号と対応した暗証画像が予め記憶されている。色合い検出部５１ではサンプル画像の濃度ヒストグラムデータと暗証画像の濃度ヒストグラムデータが算出され、エッジ検出部５２ではサンプル画像のらエッジデータと暗証画像のエッジデータとが算出される。
【００１６】
色合い検出部５１で算出された暗証画像とサンプル画像との濃度ヒストグラムデータと、エッジ検出部５２で算出された暗証画像とサンプル画像とのエッジデータとは、特徴情報記憶部５３に画像ごと記憶される。
【００１７】
比較判定部５４では、特徴情報記憶部５３に記憶された濃度ヒストグラムデータとエッジデータとがそれぞれ比較され、サンプル画像が暗証画像と類似するか類似しないかが判定される。
【００１８】
比較判定部５４で、暗証画像と類似しないと判定されたサンプル画像の画像コードが画像コード記憶部５８に記憶される。暗証画像と類似しないサンプル画像の画像コードが８つ記憶されると、これらの画像コードと暗証番号とを基にしてサンプル画像と比較対象となった暗証画像とを関連付けするリンクデータが中央制御部５７で生成され、リンクデータ記憶部５９に記憶される。
【００１９】
第１回目の個人認証では、画像コード記憶部５８に記憶された８つの画像コードが示すサンプル画像と暗証画像とが表示制御部６０に入力される。表示制御部６０に入力された暗証画像とサンプル画像とは表示画面１２に並べて表示される。なお、２回目以降の個人認証ではリンクデータ記憶部５９に記憶されたリンクデータがリンクデータ認識部６７で認識され、リンクデータによって対応付けられた暗証画像とサンプル画像とが表示制御部６０に入力され、表示画面１２には第１回目の個人認証の際に表示された画像と同一の画像が表示される。
【００２０】
画像照合部６３では、表示画面１２に表示された画像の中からボタン４３を押下して選び出された画像が暗証画像であるかが確認される。確認の結果、選び出された画像が暗証画像であった場合は、現金の取扱が可能となる。
【００２１】
暗証画像と並べて表示画面１２に表示されるサンプル画像の抽出について図３のフローチャートを用いて説明する。暗証画像が暗証画像記憶部５０から色合い検出部５１に入力され、ＲＧＢ各色の濃度ヒストグラムデータが算出される。次いで暗証画像はエッジ検出部５２に入力され、ＲＧＢ各成分画像のエッジデータが算出される。濃度ヒストグラムデータとエッジデータとは特徴情報記憶部５３に記憶される。
【００２２】
暗証画像の濃度ヒストグラムデータとエッジデータとが特徴情報記憶部５３に記憶された後に、サンプル画像記憶部５５からサンプル画像が色合い検出部５１に入力され、ＲＧＢ各色の濃度ヒストグラムデータが算出される。次いでエッジ検出部５４に入力され、ＲＧＢ各成分画像のエッジデータが算出される。濃度ヒストグラムデータとエッジデータとは特徴情報記憶部５３に記憶される。
【００２３】
特徴情報記憶部５３に記憶された暗証画像とサンプル画像との濃度ヒストグラムデータが比較判定部５４で比較され、ＲＧＢ各色の濃度ヒストグラムの各階調値の差が閾値よりも大きければエッジデータの比較に移行する。暗証画像とサンプル画像とのエッジデータが比較判定部５４で比較され、ＲＧＢ各成分画像のエッジの座標値の差が閾値よりも大きい場合は、このサンプル画像は暗証画像と類似しないと判定される。
【００２４】
暗証画像と類似しないと判定されたサンプル画像の画像コードは、画像コード記憶部５８に記憶される。濃度ヒストグラムとエッジとを比較した際、どちらか一方が閾値以下の場合は暗証画像と類似すると判定され、別のサンプル画像データの入力から再度繰り返される。サンプル画像が８つになるまで、サンプル画像の入力から画像コードの記憶までの動作が繰り返し行われる。
【００２５】
図４に表示画面１２に１つの暗証画像と選び出された８つのサンプル画像とが表示された平面図を示す。各画像の上には番号が付されており、対応した番号のボタン４３がユーザに押されることにより、指定された画像が画像照合部６３に入力され、この画像が暗証画像であるかが確認される。例えば、番号２のボタンが押されると、２番の画像が暗証画像であるかが画像照合部６３で確認される。
【００２６】
次に、第１回目の個人認証について図５のフローチャートを用いて説明する。アンテナ１９から発信される要求信号を受信した携帯電話４から、管理コード信号が発信される。
【００２７】
アンテナ１９で受信され、無線通信Ｉ／Ｆ３８で復調された管理コードは、管理コード照合部４１に入力される。管理コード照合部４１では、無線通信Ｉ／Ｆ３８から入力された管理コードと、管理コード記憶部４８に記憶された管理コードとが照合される。照合の結果、管理コードが一致すると、暗証番号の入力が指示される。ユーザによって入力された暗証番号は、暗証番号照合部４５で暗証番号記憶部４８に予め記憶された暗証番号と照合される。
【００２８】
暗証番号の照合の結果、入力された暗証番号と暗証番号記憶部４８に記憶された暗証番号とが一致すると、暗証番号と対応して記憶された暗証画像が色合い検出部５１、エッジ検出部５２に入力され、濃度ヒストグラムデータとエッジデータとが算出される。次にサンプル画像が色合い検出部５１、エッジ検出部５２に入力され、濃度ヒストグラムデータとエッジデータとが算出される。濃度ヒストグラムデータとエッジデータとはそれぞれの画像ごとに特徴情報記憶部５３に記憶される。
【００２９】
比較判定部５４で暗証画像と類似しないと判定されたサンプル画像の画像コードが８つ画像コード記憶部５８に記憶されると、記憶された８つの画像コードと暗証番号とを基にして、暗証画像とサンプル画像とを対応付けするリンクデータがリンクデータ記憶部５９に記憶される。
【００３０】
画像コード記憶部５８に記憶された８つの画像コードが示すサンプル画像と、比較の対象となった暗証画像とが表示制御部６０に入力され、図４に示すように、表示画面１２には１つの暗証画像と８つのサンプル画像とが並べて表示される。
【００３１】
表示画面１２に表示された画像の中から、ボタン４３を押して暗証画像を選択し、選択された画像が暗証画像であった場合には、現金を取り扱うステップに移る。
【００３２】
２回目以降の個人認証について図６のフローチャートを用いて説明する。なお、第１回目と同じ工程の説明は省略する。管理コードが入力され、入力された暗証番号が認証されると、暗証番号に対応したリンクデータがリンクデータ認識部６７に入力され、暗証画像と、暗証画像と関連付けされた８つのサンプル画像の画像コードが認識される。それぞれの画像コードによって指定されたサンプル画像と暗証画像とが表示制御部６０に入力され、表示画面１２には、第１回目の個人認証時に表示されたサンプル画像と同一のサンプル画像が表示される。
【００３３】
なお、上記の実施例では、サーバに接続する１台のキャッシュディスペンサを例示したが、サーバと接続するキャッシュディスペンサは何台でもよい。
【００３４】
また、上記の実施携帯では暗証画像は１であり、サンプル画像は８つであったが、暗証画像は複数でもよく、またサンプル画像の数はこれに限らない。登録画像を複数登録し、サンプル画像をより多く抽出して表示画面にこれらを並べて表示することにより、暗証画像を選び出すことがより困難になり、より堅牢な個人認証装置となる。また表示画面に表示する画像が多い場合は、次画面を用意して、暗証画像とサンプル画像とを表示するようにしてもよい。
【００３５】
また、上記の実施形態では色合いに関する特徴情報として濃度ヒストグラムデータとエッジデータとをそれぞれの画像から算出したが、他の特徴情報を算出してもよい。例えば、登録画像とサンプル画像とをそれぞれ、所定のメッシュ状の領域（以降、メッシュ領域と省略する）に区分けし、それぞれのメッシュ領域内でＲＧＢそれぞれの平均濃度値を求め、このＲＧＢそれぞれの平均濃度値を暗証画像とサンプル画像との間で比較するようにしてもよい。
【００３６】
また、本発明の個人認証装置は、銀行などの金融機関に設置されるキャッシュディスペンサやサーバに限らず、他のものに用いてもよい。例えば、複数の人間で共有するコンピュータに本発明の個人認証装置を設けてもよい。
【００３７】
【発明の効果】
以上のように、本発明の個人認証装置によれば、予め記憶された複数のサンプル画像の中から表示画面に表示する画像を複数選び出し、入力されたパスワードに対応する暗証画像と選び出された複数のサンプル画像とを並べて表示画面に表示することによって、低コストな個人認証装置を提供することができる。また、サンプル画像の特徴情報と暗証画像の特徴情報とを算出し、算出されたそれぞれの画像の特徴情報を比較し、その特徴情報の差に基づいて暗証画像に類似したサンプル画像と類似しないサンプル画像とを判定して暗証画像と類似しないサンプル画像を複数選び出し、選び出された複数のサンプル画像を暗証画像と並べて表示画面に表示することによって、暗証画像と類似しない画像を表示画面に表示して、より容易に暗証画像が見分けられるようにした。また、選び出された複数のサンプル画像と暗証画像とを関連付けて記憶することによって、サンプル画像の中から画像を選び出す工程を省いて複数の画像を表示画面に表示できるとともに、毎回同一の画像を表示することができる。
【図面の簡単な説明】
【図１】本発明の個人認証装置の概略図である。
【図２】個人認証装置のブロック図である。
【図３】サンプル画像から暗証画像と類似しない画像を抽出する手順を示したフローチャートである。
【図４】暗証画像とサンプル画像とが表示された表示画面の図である。
【図５】第１回目の個人認証を示すフローチャートである。
【図６】２回目以降の個人認証を示すフローチャートである。
【符号の説明】
６  個人認証装置
８  キャッシュディスペンサ
１０  サーバ
１２  表示画面
５０  暗証画像記憶部
５１  色合い検出部
５２  エッジ検出部
５３  特徴情報記憶部
５４  比較判定部
５５  サンプル画像記憶部
５９  リンクデータ記憶部
【図１】
2005018625.tif 000003
【図２】
2005018625.tif 000004
【図３】
2005018625.tif 000005
【図４】
2005018625.tif 000006
【図５】
2005018625.tif 000007
【図６】
2005018625.tif 000008